(57)【要約】      （修正有）【課題】各機能ブロックへの電力供給を制御して消費電力を低減する。【解決手段】電源部と、電源部から電力供給を受ける複数の機能ブロックと、各機能ブロックからの表示情報に基づいて表示を行なう表示部とを備えた画像形成装置において、電源部１００は、電源制御信号に基づいて各機能ブロックへの電力供給をＯＮ／ＯＦＦ制御するとともに、表示情報を表示部へ選択供給するための表示切替信号を生成し、表示部５００は表示切替信号をに基づいて表示情報を選択する。【選択図】 図１
2006256004.tif 000002
【特許請求の範囲】
【請求項１】
電源部と、該電源部から各々電力の供給を受ける複数の機能ブロックと、該複数の機能ブロックの各々から出力される表示情報を選択して表示する表示部とを備えた画像形成装置において、
前記複数の機能ブロックの各々は、当該機能ブロックの動作状態に応じて前記画像形成装置における処理状態を示す処理状態情報を生成する処理状態情報取得部と、前記処理状態情報に基づいて前記電源部から当該機能ブロックへ供給する電力の切替え制御を行なうための電源制御信号を生成する電源制御信号生成部とを有し、
前記電源部は、前記電源制御信号に基づいて前記機能ブロックの各々に対して電力を供給するか否か制御するとともに、前記複数の機能ブロックから供給される表示情報を選択するための表示切替信号を生成し、
前記表示部は、前記表示切替信号に基づいて表示情報を選択することを特徴とする画像形成装置。
【請求項２】
前記電源部は、入力された前記電源制御信号に基づいて前記複数の機能ブロックの各々に対して電力の供給を行なうか否かを判定する電源供給判定部と、前記電源供給判定部の判定結果に基づいて、前記複数の機能ブロックの各々に供給する電力のＯＮ／ＯＦＦ制御を行なうスイッチと、を備えることを特徴とする請求項１記載の画像形成装置。
【請求項３】
前記複数の機能ブロックは、外部装置と通信して画像情報を取得するための通信制御部と、取得した画像情報に基づいて形成可能な画像データを生成する画像処理部と、該画像処理部で生成した画像データに基づいて媒体上に画像を形成する画像形成部とを含むことを特徴とする請求項１記載の画像形成装置。
【請求項４】
前記複数の機能ブロックの各々は、前記電源部から電力の供給を受けると、該電力の一部を前記表示部に供給する表示電源制御部を備えることを特徴とする請求項１記載の画像形成装置。
【請求項５】
前記表示部は、各機能ブロックからの前記表示情報に基づいて表示切替を行い、該切替え制御のための画面制御情報を生成する表示切替部と、
前記画面制御情報に基づいて表示画面の内容を切替えるべく、前記表示電源制御部からの電力供給により動作する画面制御部とを備えることを特徴とする請求項４記載の画像形成装置。
【請求項６】
前記表示部は、表示の有無が設定された表示設定情報に基づいて、前記表示電源制御部からの供給電源の切替え制御を行なう表示電源切替部を備えることを特徴とする請求項５記載の画像形成装置。
【発明の詳細な説明】
【技術分野】
【０００１】
本発明は、画像形成装置に関し、特に画像形成するための各処理を行なう複数の機能ブロックに電力供給を行なう電源部を備えた画像形成装置に関するものである。
【背景技術】
【０００２】
画像形成装置は、画像を形成するための機能ブロックを複数備えている。例えば複数の機能ブロックとして、印刷機能ブロックや画像読取機能ブロック、あるいは画像伝送機能ブロックがあり、それらの異なる機能ブロックを複合して備えた複合機（Ｍｕｌｔｉ―Ｆｕｎｃｔｉｏｎ  Ｐｅｒｉｐｈｅｒａｌ、以下  ＭＦＰと記述する）がある。
【０００３】
このようなＭＦＰでは、各機能ブロックが機能に応じてそれぞれの処理状態にあり、それぞれの処理内容を実行しており、入力を促すメッセージなど利用者に知らせる情報が通常異なるため、機能ブロック毎に共用の表示部を設けている。ところで、複数の機能ブロックに優先順位を予め定めておき、優先順位に基づいて、順位の高い機能ブロックに関する情報を表示部に表示させる画像形成装置が知られている。
【０００４】
例えば、特許文献１に開示されているように、機能ブロック間で表示部を優先制御するための、優先順位を予め定めておき、該優先順位に基づいて各機能ブロックにおける情報を表示部に表示させていた。
【０００５】
また、このようなＭＦＰでは、各機能ブロックは並列動作を行なっており、例えば画像を複写するときには、原稿をスキャニングしながら、スキャンして得た画像を印刷媒体に画像形成していた。
【特許文献１】特開平６−２７０５１１号公報
【発明の開示】
【発明が解決しようとする課題】
【０００６】
しかしながら、従来の画像形成装置では、複数の機能ブロックで共用される表示部は、各機能ブロックから表示要求がされても、常に対応できるように、表示部の電源を供給し続ける必要があるため、画像形成装置の消費電力を削減できないという問題があった。
そこで、各機能ブロックの動作状況を把握し、表示が必要なときのみ表示部に電力供給を行なって、省電力を実現することが望まれていた。
【０００７】
従って、本発明の目的は、複数の機能ブロックで共用される表示部への電力供給を制御して消費電力を低減し得る画像形成装置を提供することにある。
【課題を解決するための手段】
【０００８】
本発明の画像形成装置は、以上の点を解決するために、次の構成を採用する。
〈構成１〉
電源部と、該電源部から各々電力の供給を受ける複数の機能ブロックと、該複数の機能ブロックの各々から出力される表示情報を選択して表示する表示部とを備えた画像形成装置において、複数の機能ブロックの各々は、当該機能ブロックの動作状態に応じて画像形成装置における処理状態を示す処理状態情報を生成する処理状態情報取得部と、処理状態情報に基づいて電源部から当該機能ブロックへ供給する電力の切替え制御を行なうための電源制御信号を生成する電源制御信号生成部とを有し、電源部は、電源制御信号に基づいて機能ブロックの各々に対して電力を供給するか否か制御するとともに、複数の機能ブロックから供給される表示情報を選択するための表示切替信号を生成し、表示部は、表示切替信号に基づいて表示情報を選択することを特徴とする。
【０００９】
〈構成２〉
電源部は、入力された電源制御信号に基づいて複数の機能ブロックの各々に対して電力の供給を行なうか否かを判定する電源供給判定部と、電源供給判定部の判定結果に基づいて、複数の機能ブロックの各々に供給する電力のＯＮ／ＯＦＦ制御を行なうスイッチと、を備えることを特徴とする。
〈構成３〉
複数の機能ブロックは、外部装置と通信して画像情報を取得するための通信制御部と、取得した画像情報に基づいて形成可能な画像データを生成する画像処理部と、該画像処理部で生成した画像データに基づいて媒体上に画像を形成する画像形成部とを含むことを特徴とする。
【００１０】
〈構成４〉
複数の機能ブロックの各々は、電源部から電力の供給を受けると、該電力の一部を表示部に供給する表示電源制御部を備えることを特徴とする。
〈構成５〉
表示部は、各機能ブロックからの表示情報に基づいて表示切替を行い、該切替え制御のための画面制御情報を生成する表示切替部と、画面制御情報に基づいて表示画面の内容を切替えるべく、表示電源制御部からの電力供給により動作する画面制御部とを備えることを特徴とする。
〈構成６〉
表示部は、表示の有無が設定された表示設定情報に基づいて、表示電源制御部からの供給電源の切替え制御を行なう表示電源切替部を備えることを特徴とする。
【発明の効果】
【００１１】
本発明の画像形成装置によれば、当該画像形成装置の状態を把握すべく、各機能ブロックが当該機能ブロックの動作状態を監視し、該監視結果に基づいて実行すべき処理に必要な機能ブロックへ電力を供給するための電源制御信号を生成する。また、電源制御信号は、不要の機能ブロックへの電力供給を遮断制御するための信号である。該電源制御信号に基づいて電源部は、各機能ブロックへの電力供給をＯＮ／ＯＦＦ制御するとともに各機能ブロックからの表示情報を表示部へ選択供給するための表示切替信号を表示部に出力することから、実行すべき処理に該当しない機能ブロックへの電力供給を遮断するように制御するとともに表示が不要のときは共用の表示部への電力供給も遮断するように制御することができ、消費電力の低減を図ることができる。
【発明を実施するための最良の形態】
【００１２】
本発明の実施形態について、図を用いて詳細に説明する。以下の説明では、各実施の形態に用いる図面について同一の構成要素は同一の符号を付し、かつ重複する説明は可能な限り省略する。
【実施例１】
【００１３】
以下、本発明の実施形態について図を用いて詳細に説明する。
実施例１の画像形成装置１０００は、図１に示されているように、画像を形成するための機能ブロックとして通信制御部４００と、画像処理部３００と、画像形成部２００と、を備えており、更に前記各機能ブロックからの電源制御信号に基づいて、前記各機能ブロックに電源を供給する電源（電源部）１００と、外部装置（図示せず）からの画像情報を受信する通信制御部４００と、該通信制御部４００からの画像情報を解析し、該画像情報から画像データを取得する画像処理部３００と、該画像データに基づいて画像を媒体上に形成する画像形成部２００と、電源１００から供給される電源で画面表示を行なう表示部５００とを備える。
【００１４】
電源１００は、受電部１１０と、電源切替部１２０とで構成される。
受電部１１０は、図示されてない外部電源から供給される電源を受電する。
電源切替部１２０は、各機能ブロックに対応しており、該各機能ブロックへの電力供給をＯＮ／ＯＦＦ制御するための３つの電源スイッチ１２２、１２３、１２４と、後述する電源制御信号に基づいて各機能ブロックへ電力を供給するか否かを判断し、該判断結果に基づいて該電源スイッチ１２２、１２３、１２４でＯＮ／ＯＦＦ制御するための信号を生成し、該信号を電源スイッチ１２２、１２３、１２４へ出力する電源制御部１２１とで構成される。
【００１５】
電源制御部（電源供給判定部）１２１は、各機能ブロックからの電源制御信号に基づいて機能ブロックへの電力供給をＯＮ／ＯＦＦ制御するための判断を行なう。
画像形成装置１０００は、前記設定情報、電源制御信号および外部装置からの処理すべき情報（画像情報）が有する情報に基づいて通常動作と省電力動作を行なう。
通常動作とは、３つの機能ブロック、即ち通信制御部４００、画像処理部３００および画像形成部２００の全機能ブロックに電源が供給され、各機能ブロックが並列的に動作する。
【００１６】
一方、省電力動作とは、通信制御部４００、画像処理部３００および画像形成部２００の中から１つの機能ブロック若しくは２つの機能ブロックへの電力供給を行い、電力供給を受けた機能ブロックが動作し、当該機能ブロックにおいて画像形成のための処理が行なわれる。
【００１７】
ところで、電源制御部１２１は、各機能ブロックからの電源制御信号に基づいて表示切替信号を生成し、該表示切替信号を後述する表示部５００に出力する。
表示部５００は、表示切替信号に基づいて各機能ブロックから出力される各表示情報の切替えを行なって、画像形成装置１０００の動作に応じた画面表示を行なう。
【００１８】
次に、３つの機能ブロックについて説明する。
まず、通信制御部４００は、図２（ａ）に示されているように、外部装置からの画像情報をＩ／Ｏインタフェース４０４経由で受信し一時保持する通信処理部４０７と、表示するための表示情報を表示部５００の表示切替部５０１に出力する表示用通信インタフェース４０１と、自己の動作状態の監視結果に基づいて当該画像形成装置１０００における処理状態を示す処理状態情報を生成する処理状態情報取得部４０２と、操作部（図示せず）からの設定情報および前記処理状態情報に基づいて各機能ブロックへの電力供給をＯＮ／ＯＦＦ制御するための電源制御信号を生成する電源制御信号生成部４０３と、外部装置（図示せず）および装置内の他部と通信するため通信制御を行なうＩ／Ｏインタフェース４０４と、前記設定情報を保持する設定情報保持部４０５と、予め通常動作の処理状態情報および省電力動作の処理状態情報を保持処理状態情報として保持する処理状態情報保持部４０６と、通信制御部４００の全体を統括し制御するＣＰＵ４０８を備えている。
【００１９】
通信制御部４００は、外部装置（図示せず）に接続されており、該外部装置から画像データおよび描画コマンドなどからなる画像情報を受信し、該画像情報を画像処理部３００へ転送する。
すなわち、通信制御部４００は、一般的に通信インタフェースと称される機能を有する。
また、表示用通信インタフェース４０１は、通信制御部４００と表示部５００の表示切替部５０１に接続されている。
【００２０】
ところで通信制御部４００は、画像情報の受信、受信中又は受信待ちを利用者に通知するため、表示用通信インタフェース４０１を介して表示に必要な表示情報を前記表示切替部５０１へ送信する。
【００２１】
処理状態情報取得部４０２は、通信制御部４００の動作状態を監視するためのセンサＳ４１からの信号を受けると、通信制御部４００の動作状態の監視結果と前記処理状態情報保持部４０６に保持されている各機能ブロックの処理状態を示す保持処理状態情報とに基づいて、当該画像形成装置１０００における動作状態を示す処理状態情報を生成する。
【００２２】
例えば処理状態情報は、通信制御部４００の場合、受信中、受信待、受信完了、省電力動作中などであり、当該機能ブロックの動作状態の監視内容が示されている。しかし、処理状態情報は、当該機能ブロック（通信制御部４００）における動作状態の監視内容以外に、他の機能ブロックにおける動作状態の監視に必要な重要な情報も加味されている。
【００２３】
電源制御信号生成部４０３は、画像情報を解析し、該解析で得た印刷順序（印刷ページ順序）、印刷部数、媒体指定などの指定情報を取得する。更に、電源制御信号生成部４０３は、処理状態情報取得部４０２からの処理状態情報を受けると、前記指定情報、該処理状態情報および設定情報保持部４０５に保持されている設定情報に基づいて実行すべき処理内容を判断する。そして、電源制御信号生成部４０３は、前記判断結果に基づいて実行すべき処理内容に必要な機能ブロックへ電力供給するための電源制御信号を生成する。
ところで、電源制御信号は、前記各機能ブロックへ電力供給をＯＮ／ＯＦＦ制御するための電源切換信号であり、通信制御部４００から電源部１００に送信される。
【００２４】
次に、画像処理部３００は、図（２ｂ）に示されているように、通信制御部４００からの画像情報をＩ／Ｏインタフェース３０４経由で受信し画像情報に含まれる画像データを取得する画像情報処理部３０７と、画像処理部３００からの表示のための表示情報を表示部５００の表示切替部５０１に出力する表示用通信インタフェース３０１と、当該部３００の動作状態の監視結果に基づいて画像形成装置における処理状態を示す処理状態情報を生成する処理状態情報取得部３０２、機能ブロックへの電力供給をＯＮ／ＯＦＦ制御するための電源制御信号を生成する電源制御信号生成部３０３と、装置内の他部と通信するＩ／Ｏインタフェース３０４と、設定情報を保持する設定情報保持部３０５と、予め通常動作の処理状態情報および省電力動作の処理状態情報など複数の処理状態情報を保持処理状態情報として保持する処理情報保持部４０６と、画像処理部３００の全体を統括し制御するＣＰＵ３０８とを備えている。
【００２５】
画像処理部３００は、Ｉ／Ｏインタフェース３０４を経由して装置内の他の機能ブロックと通信できる。通信制御部４００からの画像データおよび描画コマンドなどからなる画像情報を受信し、画像データを取得し画像処理部３００へ転送する。
すなわち、画像処理部３００は、一般的に画像処理と称される機能を有している。
【００２６】
ところで画像処理部３００は、画像情報から画像データを取得中（処理中）であることや処理待ちであることや省電力動作中であることを利用者に通知するため、表示に必要な表示情報を表示用通信インタフェース４０１を介して前記表示切替部５０１へ送信する。
【００２７】
処理状態情報取得部３０２は、画像処理部３００の動作状態を監視するためのセンサＳ３１からの信号を受けると、画像処理部３００の動作状態の監視結果と前記処理状態情報保持部３０６に保持されている各機能ブロックの処理状態を示す保持処理状態情報とに基づいて、当該画像形成装置１０００における動作状態を示す処理状態情報を生成する。
【００２８】
例えば処理状態情報として、例えば処理中、処理待ち、処理完了および省電力動作などが示されている。しかし、処理状態情報は、当該機能ブロック（画像処理部３００）における動作状態の監視内容以外に、他の機能ブロックにおける動作状態の監視に必要な重要な情報も加味されている。
【００２９】
電源制御信号生成部３０３は、処理すべきデータ（通信制御部４００からの画像情報）及び処理状態情報取得部３０２からの処理状態情報を受けると、前記処理すべきデータが有する指定情報と、前記処理状態情報および設定情報保持部３０５に保持されている設定情報に基づいて実行すべき処理内容を判断する。
【００３０】
電源制御信号生成部３０３は、該判断結果に基づいて実行すべき処理内容に必要な機能ブロックへ電力供給するための電源制御信号を生成する。
該電源制御信号は、前記各機能ブロックへ電力供給をＯＮ／ＯＦＦ制御するための電源切換信号であり、画像処理部３００から電源部１００に送信される。
【００３１】
画像形成部２００は、図２（ｃ）に示されているように、画像処理部３００からの画像データに基づいて媒体上に画像を形成（記録）する画像形成処理部２０７と、画像形成部２００からの表示のための表示情報を表示部５００の表示切替部５０１に出力する表示用通信インタフェース２０１と、当該部２００の動作状態を監視した監視結果に基づいて画像形成装置における処理状態を示す処理状態情報を生成する処理状態情報取得部２０２と、機能ブロックへの電力供給をＯＮ／ＯＦＦ制御するための電源制御信号を生成する電源制御信号生成部２０３と、装置内の他部と通信するＩ／Ｏインタフェース２０４と、設定情報を保持する設定情報保持部２０５と、予め通常動作の処理状態情報および省電力動作の処理状態順序情報など複数の処理状態情報を保持処理状態情報として保持する処理状態情報保持部２０６と、画像形成部２００の全体を統括し制御するＣＰＵ２０８とを備えている。
【００３２】
画像形成部２００は、画像処理部３００の他部と装置内の他部と通信するＩ／Ｏインタフェース２０４を介して接続されている。該画像処理部３００からの画像データに基づいて媒体上に画像を形成する。
すなわち、画像形成部２００は、一般的に画像形成（記録）と称される機能を有している。
また、表示用通信インタフェース２０１は、表示部５００の表示切替部５０１に接続されている。
【００３３】
ところで画像形成部２００は、画像形成中であることや画像処理部３００から画像データを受信中であることや、受信した画像データに基づく画像形成の処理待ちであることを利用者に表示通知するため、表示に必要な表示情報を表示用通信インタフェース４０１を介して前記表示切替部５０１へ送信する。
【００３４】
処理状態情報取得部２０２は、画像形成部２００の動作状態を監視するためのセンサＳ２１からの信号を受けると、画像形成部２００の動作状態の監視結果と前記処理状態情報保持部４０６に保持されている保持処理状態情報とに基づいて、当該画像形成装置における処理状態を示す処理状態情報を生成する。
【００３５】
例えば処理状態情報としては、画像形成中、処理待ち、処理完了、省電力動作中などが示されている。しかし、処理状態情報は、当該機能ブロック（画像形成部２００）における動作状態の監視内容以外に、他の機能ブロックにおける動作状態の監視に必要な重要な情報も加味されている。
【００３６】
電源制御信号生成部２０３は、処理すべきデータ（画像処理部３００からの画像データ）及び処理状態情報取得部２０２からの処理状態情報を受けると、前記処理すべきデータが有する指定情報と、前記処理状態情報および設定情報保持部２０５に保持されている設定情報に基づいて実行すべき処理内容を判断する。該判断結果に基づいて、電源制御信号生成部２０３は、実行すべき処理内容に必要な機能ブロックへ電力供給するための電源制御信号を生成する。
ところで、電源制御信号は、画像形成部２００から電源部１００に送信される。
【００３７】
つぎに、電源制御信号について詳しく説明する。
各機能ブロックの電源制御信号生成部４０３、３０３、２０３は、図３に示すように、例えば信号１から信号６までの６種類の信号をそれぞれ生成し、電源制御部１２１へ順次出力する。
ところで、信号１は画像処理部３００に対する電力の供給を遮断するための信号であり、信号２は画像形成部２００に対する電力の供給を遮断するための信号であり、信号３は通信制御部４００に対する電力の供給を遮断するための信号である。
【００３８】
信号４は画像処理部３００へ電力を供給するための信号であり、信号５は画像形成部２００へ電力を供給するための信号であり、信号６は通信制御部４００へ電力を供給するための信号である。
【００３９】
各機能ブロックは、それぞれ生成した電源制御信号を出力することより自機能ブロックおよび他の機能ブロックの省電力動作状態への移行および省電力状態からの復帰を電源制御部１２１へ伝達する。
電源制御部１２１は、各機能ブロックから出力される電源制御信号を監視する。
【００４０】
電源スイッチ１２２は、受電部１１０から画像形成部２００へ供給する電源をＯＮ／ＯＦＦ制御する。
電源スイッチ１２３は、受電部１１０から画像処理部３００へ供給する電源をＯＮ／ＯＦＦ制御する。
電源スイッチ１２４は、受電部１１０から通信制御部４００へ供給する電源をＯＮ／ＯＦＦ制御する。
【００４１】
表示部５００は、電源制御部１２１からの表示切替信号に基づいて各機能ブロックからの表示情報の中から表示すべき表示情報を選択（切替える）する表示切替部５０１と、該表示切替部５０１で選択した表示情報を画面制御信号として受けると、該画面制御信号に基づいて画面表示を行なう画面制御部５０２とを備える。
【００４２】
表示切替部５０１は、各機能ブロックからの各表示情報を受けると、電源制御部１２１からの表示切替信号に基づいて表示させるべき表示情報を選択し、該選択した表示情報を画面制御信号として画面制御部５０２に出力する。
【００４３】
画面制御部５０２は、図示しない表示パネルを備えており、該表示パネルが前記画面制御信号に基づいて表示内容を表示する制御を行なう。
尚、表示内容としては、各機能ブロックからの機能ブロック動作状態を示す動作状態情報を画面制御部５０２が受けると、画面制御部５０２は動作状態情報を表示する。例えば、画像処理部３００は省電力動作中（経過時間は５分）で、画像形成部２００は省電力動作中（経過時間は１２分）であると表示する。
【００４４】
ところで、表示切替信号に基づいて選択された機能ブロックからの表示情報は、表示制御信号として表示切替部５０１に供給されており、表示切替部５０１には表示制御信号と共に電源が供給される。また、画面制御部５０２には、表示切替部５０１で選択されて供給される表示制御信号が画面制御信号として供給され、かつ表示切替部５０１を介して電源が供給される。
【００４５】
実施例１の画像形成装置１０００の動作を、電源切替部１２０の動作を中心に図４のフローチャートを用いて説明する。
画像形成装置１０００に電源が投入されると（Ｓ４０１）、電源制御部１２１は、電源スイッチ１２２、１２３、１２４をすべて接続するように制御にする（Ｓ４０２）。これにより、全ての機能ブロックに電力が供給される。
【００４６】
電力が供給された各機能ブロックは、表示部５００に画面表示するための各表示情報を生成する。電源制御部は、各機能ブロックで生成された表示情報を切替えるべく、表示切替信号を表示部５００の表示切替部５０１に出力する（Ｓ４０３）。ところで、表示切替信号は、各機能ブロックからの電源制御信号と、予め設定された機能ブロックにおける表示優先順位に基づいて生成されており、表示優先順位が高い機能ブロックにおける表示内容が表示部５００の画面制御部５０２で画面表示される。
【００４７】
表示切替信号が出力されると、電源制御部１２１は、初期化処理として予め設定されている処理内容に従って動作する各機能ブロックからの電源制御信号を監視する（Ｓ４０４）。
【００４８】
電源制御部１２１は、画像処理部３００からの電源制御信号を受信すると（Ｓ４０４）、図３に示す電源ＯＦＦの要求であるかを判断する（Ｓ４０５）。電源ＯＦＦの要求である場合、電源制御部１２１は、何れの機能ブロックを遮断するように制御するかを判断する（Ｓ４０６）。
【００４９】
このとき、電源制御部１２１は、電源制御信号と、表示優先順位とに基づいて各機能ブロックから表示部５００へ出力される表示情報の切替えが必要であるか否かを判断する（Ｓ４０７）。
表示情報の切替が必要なとき、電源制御部１２１は、その表示情報を切替えるための表示切替信号を生成し、表示部５００へ出力する（Ｓ４０８）。
【００５０】
その後、電源制御部１２１は、前記したステップＳ４０６において、遮断するように制御すると判断した機能ブロックへの電力供給を遮断する（Ｓ４０９）。
【００５１】
ところでステップＳ４０５において、電源制御部１２１は電源ＯＦＦの要求でないと判断すると、次に図３に示す電源ＯＮの要求であるか否かを判断する（Ｓ４１０）。電源ＯＮの要求である場合、電源制御部１２１は、何れの機能ブロックへ電力を供給するように制御するかを判断する（Ｓ４１１）。
【００５２】
このとき、電源制御部１２１は、電源制御信号と、表示優先順位とに基づいて各機能ブロックから表示部５００へ出力される表示情報を切替える必要があるか否かを判断する（Ｓ４１２）。
表示情報の切替が必要なとき、電源制御部１２１は、その表示情報を切替えるための表示切替信号を生成し、表示部５００へ出力する（Ｓ４１３）。
【００５３】
その後、電源制御部１２１は、前記したステップＳ４１０において、電源ＯＮの要求であると判断した機能ブロックへ電力供給を行なう（Ｓ４１４）。
【００５４】
実施例１の画像形成装置１０００によれば、当該画像形成装置の状態を把握すべく、各機能ブロックが当該機能ブロックの動作状態を監視し、該監視結果に基づいて実行すべき処理に必要な機能ブロックへの電力供給と、実行すべき処理に不要な機能ブロックへの電力遮断のための電源制御信号を生成し、該電源制御信号を電源部１００に出力する。電源部の電源制御部１２１は、電源制御信号に基づいて各機能ブロックへ電力を供給または遮断するように制御を行なうことから、実行すべき処理に必要な機能ブロックへのみ電力供給を行なうことができ、電力の無駄な消費を低減することができる。
【００５５】
また、実施例１の画像形成装置１０００によれば、電力供給された機能ブロックは、電力供給が遮断されている機能ブロックに関する重要な表示情報を生成することができ、生成した表示情報に基づく画面表示を行なうことができる。これにより、電力供給が遮断された機能ブロックにおける重要な画面表示をもれなく表示することができ、使用者の利便性を損なうことなく、不必要な機能ブロックへの電力供給を遮断することができ、当該画像形成装置１０００の省電力化を図ることができる。
【実施例２】
【００５６】
実施例２の画像形成装置２０００は、機能ブロックが表示部を制御することに連動して表示部の電力供給を制御することが特徴である。すなわち、複数の機能ブロックにおいて、表示部を使用しない設定が成されているとき、表示部の電力供給を遮断することが出来る。これを実現するための構成が図７に示されている。
【００５７】
実施例２の画像形成装置２０００は、図５に示されているように、画像を形成するための機能ブロックとして通信制御部４００Ｂと、画像処理部３００Ｂと、画像形成部２００Ｂと、を備えている。画像形成装置２０００は、当該装置の各部に電源を供給する電源（電源部）１００Ｂと、外部装置（図示せず）からの画像情報を受信する通信制御部４００Ｂと、該通信制御部４００Ｂからの画像情報を解析し、該画像情報から画像データを取得する画像処理部３００Ｂと、該画像データに基づいて画像を媒体上に形成する画像形成部２００Ｂと、電源１００Ｂから供給される電源で画面表示を行なう表示部５００Ｂとを備える。
【００５８】
電源１００Ｂは、受電部１１０と、電源切替部１２０Ｂとで構成される。
受電部１１０は、図示されてない外部電源とＡＣケーブルなどで接続され、外部電源から給電される。
電源切替部１２０Ｂは、各機能ブロックへの電力供給をＯＮ／ＯＦＦ制御するための３つの電源スイッチ１２２、１２３、１２４と、各機能ブロックからの電源制御信号に基づいて機能ブロックへの電力を供給するか否かを判断し、該判断結果に基づいて該電源スイッチ１２２、１２３、１２４でＯＮ／ＯＦＦ制御するための信号を生成し、該信号を出力する電源制御部１２１Ｂとで構成される。
【００５９】
電源制御部１２１Ｂは、各機能ブロックからの電源制御信号に基づいて機能ブロックへの電力供給をＯＮ／ＯＦＦ制御するための判定を行なう。該判定結果に基づいて電源スイッチ１２２、１２３、１２４を開閉するＯＮ／ＯＦＦ信号を電源スイッチ１２２、１２３、１２４へ出力する。また、電源制御部１２１Ｂは、前記電源制御信号および表示部の制御権の優先順位に基づいて表示部５００Ｂの表示切替をするための表示切替信号を生成し、表示部５００Ｂへ出力する。
電源制御部（電源供給判定部）１２１Ｂは、各機能ブロックからの電源制御信号に基づいて機能ブロックへの電力供給をＯＮ／ＯＦＦ制御するための判断を行なう。
画像形成装置２０００は、設定部（図示せず）からの設定情報および外部装置からの画像情報に含まれる処理順序を指定する指定情報に基づいて通常動作と省電力動作を行なう。
【００６０】
電源スイッチ１２２は受電部１１０から画像形成部２００Ｂへ供給される電源をＯＮ／ＯＦＦ制御し、電源スイッチ１２３は受電部１１０から画像処理部３００Ｂへ供給される電源をＯＮ／ＯＦＦ制御し、電源スイッチ１２４は受電部１１０から通信制御部４００へ供給される電源をＯＮ／ＯＦＦ制御する。
【００６１】
次に、３つの機能ブロックについて説明する。３機能ブロック４００Ｂ、３００Ｂ、２００Ｂは、実施例１の機能ブロック４００、３００、２００とそれぞれほぼ同構成であり、同機能である。ただし、それぞれに表示部５００Ｂの電源を供給する表示電源供給部４０９、３０９、２０９が追加されていることが異なる。
【００６２】
表示電源供給部４０９、３０９、２０９は、各機能ブロックからそれぞれ表示部用電源として表示部５００Ｂの表示電源切替部５０３へ給電する。
【００６３】
表示電源切替部５０３は、画像処理部２００Ｂの表示電源供給部２０９と、画像記録部３００Ｂの表示電源供給部３０９および通信制御部４００Ｂの表示電源供給部４０９から受電した表示部用電源を電源制御部１２１Ｂからの表示切替信号に基づいて切替えて画面制御部５０２へ給電する。
【００６４】
実施例２の画像形成装置２０００の動作について図６のフローチャートに沿って説明する。
画像形成装置の電源がＯＮになると（Ｓ６０１）、電源制御部１２１Ｂは表示部５００Ｂを画像処理部３００Ｂの制御に切替えて（Ｓ６０２）、画像処理部３００Ｂは、表示電源供給部３０９から表示用電源を表示部５００へ供給し（Ｓ６０３）、表示部５００の制御を開始する（Ｓ６０４）。その後、画像処理部３００Ｂは画像情報を処理し画像データを取得しおよび画像形成部２００Ｂは、前記画像データに基づく画像形成処理を実行する（Ｓ６０５）。一定時間が経過しても画像形成装置に画像情報の受信がない場合または図示されてない操作部の省電力ボタンの押下されると、省電力動作へ移行を開始する（Ｓ６０６）。
【００６５】
画像処理部３００Ｂは、画像形成部２００Ｂへ表示部を制御するように通知する（Ｓ６０７）とともに、電源制御部１２１Ｂに対して図３に示される電源制御信号（信号１）を送信する（Ｓ６０８）。電源制御部１２１Ｂは、電源制御信号（信号１）を受けると、画像処理部３００Ｂへの給電を遮断すべく電源スイッチ１２３をＯＦＦ状態にする（Ｓ６０９）。画像処理部３００Ｂの電源がＯＦＦになった後、画像形成部２００Ｂが機能ブロックへの電力供給の有無および表示優先順位に基づいて表示部５００Ｂを制御するか否かを判断し（Ｓ６１０）、画像形成部２００Ｂが表示部５００Ｂを制御する場合、画像形成部２００Ｂは表示電源供給部２０９から表示用電源を供給し（Ｓ６１１）、画像形成部２００Ｂが表示部５００Ｂを制御する（Ｓ６１２）。画像形成部２００Ｂが表示部５００Ｂを制御しない場合、画像形成部２００Ｂの表示電源供給部２０９からの表示用電源を遮断する（Ｓ６１３）。
【００６６】
画像形成部２００Ｂは、画像処理部３００Ｂが処理を停止した後に一定時間を経過しても画像形成処理を行なわない場合など省電力動作への移行条件が満たされているか否かを判断し（Ｓ６１４）、移行条件が満たされていれば、省電力動作へ移行を開始し、画像形成部２００Ｂは、通信制御部４００Ｂへ表示部５００Ｂを制御するように通知する（Ｓ６１５）とともに、電源制御部１２１Ｂへ図３に示される電源制御信号（信号２）を送信する（Ｓ６１６）。電源制御部１２１Ｂは、電源制御信号（信号２）を受けると、画像形成部２００Ｂへの給電を遮断するべく電源スイッチ１２２をＯＦＦ状態にする（Ｓ６１７）。通信制御部４００Ｂは機能ブロックへの電力供給の有無および表示優先順位に基づいて表示部５００Ｂを制御するか否かを判断し（Ｓ６１８）、通信制御部４００Ｂが表示部５００Ｂを制御する場合、通信制御部４００Ｂは表示電源供給部４０９から表示用電源を供給し（Ｓ６１９）、通信制御部４００Ｂが表示部５００Ｂを制御する（Ｓ６２０）。通信制御部４００Ｂが表示部５００Ｂを制御しない場合、通信制御部４００Ｂは表示電源供給部４０９からの表示用電力を遮断する（Ｓ６２１）。
【００６７】
実施例２の画像形成装置によれば、各機能ブロックは表示部５００Ｂに電力供給する表示電源供給部４０９、３０９、２０９を備え、表示部５００Ｂは表示電源切替部５０３を備えており、各機能ブロックが表示部５００Ｂの表示制御するとともに表示部５００Ｂへの電力供給も連動して制御することから、表示部５００Ｂを使用しない設定の機能ブロックがある場合には、該設定の機能ブロックの動作時に表示部５００Ｂへの電力供給を遮断することが出来ることから、さらに消費電力を低減することが実現される。
【図面の簡単な説明】
【００６８】
【図１】実施例１の画像形成装置の構成図である。
【図２】実施例１の機能ブロックの構成図である。
【図３】本発明の電源制御信号の１例を示す図である。
【図４】実施例１における電源制御部の動作を示すフローチャートである。
【図５】実施例２の画像形成装置の構成図である。
【図６】実施例２における機能ブロック省電力動作移行時のフローチャートである。
【符号の説明】
【００６９】
１００、１００Ｂ                    電源
１１０                              受電部
１２０、１２０Ｂ                    電源切替部
１２１、１２１Ｂ                    電源制御部
１２２〜１２４                      電源スイッチ
２００、２００Ｂ                    画像記録部
２０１                              表示用通信インタフェース
２０２                              処理順序情報取得部
２０３                              電源制御信号生成部
２０４                              Ｉ／Ｏ
２０５                              設定情報保持部
２０６                              処理順序情報保持部
２０７                              画像形成処理部
２０８                              ＣＰＵ
２０９                              表示用電源供給部
３００                              画像処理部
３０１                              表示用通信インタフェース
３０２                              処理順序情報取得部
３０３                              電源制御信号生成部
３０４                              Ｉ／Ｏ
３０５                              設定情報保持部
３０６                              処理順序情報保持部
３０７                              画像情報処理部
３０８                              ＣＰＵ
３０９                              表示電源供給部
４００                              通信制御部
４０１                              表示用通信インタフェース
４０２                              処理順序情報取得部
４０３                              電源制御信号生成部
４０４                              Ｉ／Ｏ
４０５                              設定情報保持部
４０６                              処理順序情報保持部
４０７                              通信処理部
４０８                              ＣＰＵ
４０９                              表示用電源供給部
５００、５００Ｂ                    表示部
５０１                              表示切替部
５０２                              画面制御部
５０３                              表示電源制御部
【図１】
2006256004.tif 000003
【図２】
2006256004.tif 000004
【図３】
2006256004.tif 000005
【図４】
2006256004.tif 000006
【図５】
2006256004.tif 000007
【図６】
2006256004.tif 000008